(57)【要約】【課題】適切な方法でパラメータを通知することができるようにする。【解決手段】サーバ装置は、パラメータ通知手段をビーコンに含ませて報知し（ステップＴ１２３ｃ）、クライアント装置は、報知された通知手段から適切な手段を選択し（ステップＳ１２３ｈ）、その手段によりサーバ装置へのログインに必要なパラメータを取得する（ステップＳ１２３ｊ）。【選択図】図４
2008172407.tif 000002
【特許請求の範囲】
【請求項１】
相手端末と近距離無線を用いて通信する近距離無線通信手段と、
前記近距離無線通信手段を用いて前記相手と通信を行うための認証を行う認証手段と、
前記近距離無線通信手段によって前記認証に用いられるパラメータを出力するパラメータ出力手段とを有する携帯通信端末装置であって、
前記近距離無線通信手段は、前記パラメータ出力手段を識別する情報を報知する
ことを特徴とする携帯通信端末装置。
【請求項２】
相手端末と近距離無線を用いて通信する近距離無線通信手段と、
前記近距離無線通信手段を用いて前記相手と通信を行うための認証を行う認証手段と、
前記近距離無線通信手段によって前記認証に用いられるパラメータを出力するパラメータ出力手段とを有する携帯通信端末装置であって、
前記近距離無線通信手段は、前記クライアント装置から前記パラメータ出力手段を識別する情報が報知された場合、前記パラメータ出力手段を制御してパラメータを出力させる
ことを特徴とする携帯通信端末装置。
【請求項３】
パラメータを入力するパラメータ入力手段と、
前記パラメータ入力手段から入力されたパラメータを認証情報としてサーバ装置と接続して、通信する近距離無線通信手段とを有する携帯通信端末装置であって、
前記近距離無線通信手段は、前記サーバ装置によって報知される情報によって識別されるパラメータ出力手段から出力された前記パラメータを、前記パラメータ入力手段を制御して入力させ、その入力されたパラメータを前記認証情報として前記サーバ装置に接続する
ことを特徴とする携帯通信端末装置。
【請求項４】
前記サーバ装置によって報知されるパラメータ出力手段を識別する情報は複数個であり、前記近距離無線通信手段は、その複数の情報によって識別される複数のパラメータ出力手段の中から１つを選択し、その選択された１つのパラメータ出力手段から出力された前記パラメータを前記パラメータ入力手段を制御して入力させる
ことを特徴とする請求項３に記載の携帯通信端末装置。
【請求項５】
パラメータを入力するパラメータ入力手段と、
前記パラメータ入力手段から入力されたパラメータを認証情報としてサーバ装置と接続して、通信する近距離無線通信手段とを有する携帯通信端末装置であって、
前記近距離無線通信手段は、パラメータ出力手段を識別する情報を報知し、その報知に応答して前記サーバ装置からその情報によって識別されるパラメータ出力手段から前記パラメータを出力する旨を受信した場合、そのパラメータ出力手段から出力された前記パラメータを前記パラメータ入力手段を制御して入力させ、その入力されたパラメータを前記認識情報として前記サーバ装置に接続する
ことを特徴とする携帯通信端末装置。
【発明の詳細な説明】
【技術分野】
【０００１】
本発明は、携帯通信端末装置に係り、特に近距離無線通信機能の接続処理に関する。
【背景技術】
【０００２】
無線ＬＡＮ、ブルートゥース（登録商標、Bluetooth）等の近距離無線通信機能を有する携帯通信端末装置同士が直接に通信する処理が知られており、例えば、アドホックモードの通信と呼ばれている。ここで、同時に直接に通信する携帯通信端末装置は、２台に限るものではなく、３台以上であっても良い。
【０００３】
アドホックモードの通信においては、通信を開始する装置（以下、クライアント装置と称する。）は、通信相手の装置（以下、サーバ装置と称する。）と通信を開始するために必要な情報（以下、パラメータと称する。）を、通信の都度得る必要があることが多い。パラメータは、例えば、サーバ装置を識別する識別子と、サーバ装置へのログインの際の認証に用いられる暗証情報であって、それぞれＳＳＩＤと、ＷＥＰキーである。
【０００４】
ここで、サーバ装置がクライアント装置にサービスを提供することを必ずしも意味しない。例えば、サーバ装置とクライアント装置との間でアドレス帳などのファイル転送をする場合、転送の方向は、サーバ装置からクライアント装置への方向であっても良く、その逆の方向であっても良い。また、サーバ装置とクライアント装置とがチャット処理を行う場合、双方の装置でチャット機能が動作する。要は、クライアント装置は、サーバ装置にログインする装置である。
【０００５】
なお、例えば、インフラストラクチャモードの通信と呼ばれる、アクセスポイントを経由した通信においては、クライアント装置は、サーバ装置のパラメータを必ずしも通信開始の都度知る必要がないが、これは、アクセスポイントがその情報を記憶しているからである。
【０００６】
クライアント装置がサーバ装置のパラメータを得るための方法としては、まず、クライアント装置の使用者が入力装置を用いて手入力することが知られているが、この方法は、使用者が入力操作を誤る可能性があり、好ましくない。
【０００７】
そこで、使用者の複雑な操作なしに、クライアント装置がパラメータを得る方法が望まれており、例えば、サーバ装置は、その装置の表示部に自装置のパラメータを表示し、クライアント装置は、その表示されたパラメータをカメラで撮影することによってパラメータを得ることができる。
【０００８】
なお、サーバ装置がパラメータを表示する際、文字として表示しても良い。文字として表示された際、クライアント装置は、表示された文字を撮影して認識し、パラメータを得る。また、サーバ装置は、パラメータをバーコードに変換して表示し、クライアント装置は、表示されたバーコードを撮影して変換し、パラメータを得る。
【０００９】
更に、サーバ装置は、パラメータをＱＲコード（登録商標）などの２次元バーコードに変換して表示し、クライアント装置は、表示された２次元バーコードを撮影して変換し、パラメータを得ることが知られている（例えば、特許文献１参照。）。
【特許文献１】特開２００４−２７４５２０号公報（第２頁、図２）
【発明の開示】
【発明が解決しようとする課題】
【００１０】
しかしながら、上述した特許文献１に開示されている方法では、クライアント装置の使用者は、あるサーバ装置のパラメータは、２次元バーコードによって提供されることを事前に知る必要がある問題点があった。また、パラメータを得る方法が複数ある場合、クライアント装置の使用者は、サーバ装置の使用者と協議の上、いずれの方法が適切であるかを判断する必要があり、手数がかかる問題点があった。
【００１１】
本発明は、上記問題点を解決するためになされたもので、適切な方法でパラメータを通知することができる携帯通信端末装置を提供することを目的とする。
【課題を解決するための手段】
【００１２】
上記目的を達成するために、本発明の携帯通信端末装置は、相手端末と近距離無線を用いて通信する近距離無線通信手段と、前記近距離無線通信手段を用いて前記相手と通信を行うための認証を行う認証手段と、前記近距離無線通信手段によって前記認証に用いられるパラメータを出力するパラメータ出力手段とを有する携帯通信端末装置であって、前記近距離無線通信手段は、前記パラメータ出力手段を識別する情報を報知することを特徴とする。
【００１３】
また、本発明の携帯通信端末装置は、パラメータを入力するパラメータ入力手段と、前記パラメータ入力手段から入力されたパラメータを認証情報としてサーバ装置と接続して、通信する近距離無線通信手段とを有する携帯通信端末装置であって、前記近距離無線通信手段は、前記サーバ装置によって報知される情報によって識別されるパラメータ出力手段から出力された前記パラメータを、前記パラメータ入力手段を制御して入力させ、その入力されたパラメータを前記認証情報として前記サーバ装置に接続することを特徴とする。
【発明の効果】
【００１４】
本発明によれば、適切な方法でパラメータを通知することができる携帯通信端末装置を提供することができる。
【発明を実施するための最良の形態】
【００１５】
以下に、本発明による携帯通信端末装置の実施の形態を、図面を参照して説明する。図１は、本発明の実施形態に係る携帯通信端末装置が適用された移動通信端末装置同士が直接通信する通信システムの構成を示すブロック図である。
【００１６】
この通信システムは、クライアント装置として動作する移動通信端末装置１００と、サーバ装置として動作する移動通信端末装置１００とを備えているが、この他にもクライアント装置として、またはサーバ装置として動作する移動通信端末装置１００を備えていても良い。また、いずれの移動通信端末装置１００も、クライアント装置として動作し、また、サーバ装置として動作するが、これに限るものではない。
【００１７】
なお、以下の説明では、クライアント装置と、サーバ装置とは、同じ構成である移動通信端末装置１００とするが、これに限るものではない。なお、これらの装置の構成が異なる場合の処理についての説明を、適宜付加する。
【００１８】
図２は、移動通信端末装置１００の構成を示すブロック図である。この移動通信端末装置１００は、装置全体の制御を行う制御部１０１と、移動通信網に属する基地局（図示せず）との間で電波の送受信を行うアンテナを含む移動通信網通信部１０２と、送受信部１０３と、受話に用いられるスピーカ１０４ａと、送話に用いられるマイクロフォン１０４ｂと、通話部１０４ｃと、使用者へ情報の提示を行う表示部１０５と、使用者からの操作指示を入力する入力装置１０６と、カメラ１０７と、パラメータ記憶部１０８とを備えている。
【００１９】
更に、この移動通信端末装置１００は、２次元バーコード作成部１２１と、２次元バーコード解析部１２２と、アンテナを含む無線ＬＡＮ通信部１２３と、アンテナを含むブルートゥース通信部１２４と、赤外線発光部及び赤外線受光部とを含む赤外線通信部１２５と、記憶媒体接続部１３１とを備えている。
【００２０】
パラメータ記憶部１０８には、パラメータ１０８ａが記憶される。パラメータ１０８ａは、無線ＬＡＮ通信部１２３を介してこの移動通信端末装置１００にログインするために必要な情報であるが、これに限るものではない。他の移動通信端末装置１００に、その装置の無線ＬＡＮ通信部１２３を介してログインするために必要な情報を含んでいても良い。
【００２１】
記憶媒体接続部１３１には、取り外し可能な記憶媒体、例えば、ＳＤカードや、ＵＳＢメモリが接続される。そして、記憶媒体接続部１３１に取り付けられた記憶媒体に記憶された情報は、装置の各部によって読み出し及び／または書き込みがされる。
【００２２】
なお、図２では、多くの処理部の間の信号の送受は、制御部１０１を経由するように図示したが、これに限るものではない。装置は、制御部１０１の制御に従って動作する構成であることを図示したものであり、各部同士が直接に信号の送受をしても良い。
【００２３】
なお、各処理部の一部または全部は、ＣＰＵと、そのＣＰＵによって利用されるプログラムとから構成されていても良い。そして、制御部１０１は、ＣＰＵと、そのＣＰＵによって利用されるプログラムとから構成され、ＯＳ機能を行うとしても良い。
【００２４】
上記のように構成された、本発明の実施形態に係る移動通信端末装置１００の各部の動作を、図２を参照して説明する。移動通信網通信部１０２は、受信した高周波信号を送受信部１０３に送信する。また、送受信部１０３から出力される高周波信号を送信する。
【００２５】
送受信部１０３は、移動通信網通信部１０２からの高周波信号を増幅、周波数変換及び復調し、それによって得たデジタル音声信号を通話部１０４ｃに送信し、また、制御信号を制御部１０１に送信し、パラメータを無線ＬＡＮ通信部１２３に送信する。更には、通話部１０４ｃから出力されるデジタル音声信号、制御部１０１から出力される制御信号、及び無線ＬＡＮ通信部１２３から出力されるパラメータ１０８ａを変調、周波数変換及び増幅し、高周波信号を得て、それを移動通信網通信部１０２に送信する。
【００２６】
通話部１０４ｃは、送受信部１０３から出力されるデジタル音声信号をアナログ音声信号に変換し、それを増幅してスピーカ１０４ａに送る。また、マイクロフォン１０４ｂが出力するアナログ音声信号を増幅し、それをデジタル音声信号に変換して送受信部１０３へ送信する。
【００２７】
表示部１０５は、例えばＬＣＤの表示部であり、制御部１０１より起動されることにより、表示動作を開始する。入力装置１０６からの入力信号に応答して、また、各部の動作に依存して、制御部１０１より新しい画面が起動されるまで、同じ表示動作を続ける。
【００２８】
入力装置１０６は、複数のキースイッチからなり、制御部１０１からの起動信号により、使用者が操作したキースイッチを識別するコード信号を制御部１０１へ通知する。
【００２９】
カメラ１０７は、入力装置１０６の所定のキー操作によって起動され、２次元バーコードを撮影する。そして、撮影された２次元バーコード画像を２次元バーコード解析部１２２に送信する。
【００３０】
２次元バーコード作成部１２１は、この移動通信端末装置１００の無線ＬＡＮ通信部１２３を介した通信の際、この移動通信端末装置１００に接続し、ログインするために必要なパラメータ１０８ａを２次元バーコードに変換し、変換された２次元バーコードを表示部１０５に表示させる。上記パラメータ１０８ａは、既に述べたように、パラメータ記憶部１０８に記憶されている。
【００３１】
２次元バーコード解析部１２２は、カメラ１０７によって撮影された２次元バーコード画像信号をカメラ１０７から受信して、解析し、その２次元バーコード画像をパラメータに変換する。そして、得られたパラメータを無線ＬＡＮ通信部１２３に送信する。
【００３２】
無線ＬＡＮ通信部１２３は、例えば、ＩＥＥＥ８０２．１１規格に従った無線ＬＡＮ通信を行う。即ち、自装置がクライアント装置として動作する場合、パラメータを用いてサーバ装置へログインして通信する。また、自装置がサーバ装置として動作する場合、クライアント装置から送信されたパラメータをパラメータ記憶部１０８に記憶された自装置のパラメータ１０８ａと比較し、一致した場合、通信する。一致しなかった場合、通信しない。
【００３３】
無線ＬＡＮ通信部１２３は、自装置がクライアント装置として動作する場合、移動通信網通信部１０２から受信、入力装置１０６の所定のキー操作、２次元バーコード解析部１２２から受信、ブルートゥース通信部１２４から受信、赤外線通信部１２５から受信、及び、記憶媒体接続部１３１に接続された記憶媒体からの読み出しの中のいずれかの手段によって、サーバ装置のパラメータを入力する。
【００３４】
また、無線ＬＡＮ通信部１２３は、上記の方法で得たパラメータをパラメータ記憶部１０８にパラメータ１０８ａとして記憶させても良い。そして、パラメータ記憶部１０８に記憶されたパラメータ１０８ａを読み出すことによってパラメータを得ても良い。なお、パラメータ１０８ａは、後述するように、装置の識別子と、その装置に無線ＬＡＮ通信部１２３を介してログインする際の暗証情報であり、既に同じ識別子がパラメータ１０８ａとして記憶されていれば、無線ＬＡＮ通信部１２３は、暗証情報を更新記憶させる。
【００３５】
また、無線ＬＡＮ通信部１２３は、自装置が他装置と通信していない場合、自装置がクライアント装置として動作するか、サーバ装置として動作するかに係らず、自装置のパラメータを得る手段を含むビーコンを送信することがある。ここで、パラメータを得る手段とは、自装置がクライアント装置として動作する場合、サーバ装置がパラメータ１０８ａを出力する手段である。そして、自装置がサーバとして動作する場合、自装置がパラメータ１０８ａを出力する手段である。
【００３６】
更に、無線ＬＡＮ通信部１２３は、移動通信網通信部１０２を経由して、ブルートゥース通信部１２４を経由して、及び／または、赤外線通信部１２５を経由して、自装置のパラメータ１０８ａを出力することがある。
【００３７】
これに加えて、または代えて、無線ＬＡＮ通信部１２３は、自装置のパラメータ１０８ａを文字として表示部１０５に表示させ、または、２次元バーコード作成部１２１を制御して、自装置のパラメータ１０８ａを２次元バーコードとして表示部１０５に表示させることによって出力することがある。更に、上記に加えて、または代えて、無線ＬＡＮ通信部１２３は、自装置のパラメータ１０８ａを記憶媒体接続部１３１を介して記憶媒体に記憶させることによって出力することがある。
【００３８】
ブルートゥース通信部１２４は、ブルートゥース（Ｒ）方式によって無線通信を行う。この無線通信にあたり、認証処理を行う。そして、その通信によって他装置のパラメータを受信した場合、その受信されたパラメータを無線ＬＡＮ通信部１２３に送信する。
【００３９】
赤外線通信部１２５は、例えば、ＩｒＤＡ規格に従った赤外線通信を行う。この赤外線通信にあたり、認証処理を行っても良い。そして、その通信によって他装置のパラメータを受信した場合、その受信されたパラメータを無線ＬＡＮ通信部１２３に送信する。
【００４０】
上記のように構成された、本発明の実施形態に係る移動通信端末装置１００の無線ＬＡＮ通信部１２３が適切な方法でパラメータを通知する動作を説明する。
【００４１】
図３は、パラメータ１０８ａの一例を示す。このパラメータ１０８ａは、識別子１０８ｂと、暗証情報１０８ｃと、自装置のパラメータフラッグ１０８ｄとが関連付けられた情報からなる。識別子１０８ｂは、自装置であるか他装置であるかを問わず、移動通信端末装置１００へ無線ＬＡＮ通信部１２３を介してログインする際に用いられる移動通信端末装置１００の識別子である。暗証情報１０８ｃは、識別子１０８ｂで識別される移動通信端末装置１００へ無線ＬＡＮ通信部１２３を介してログインする際に用いられる暗証情報である。
【００４２】
自装置のパラメータフラッグ１０８ｄは、１つのパラメータ１０８ａにおいては、「自装置のパラメータ」なる情報であって、そのパラメータ１０８ａは、自装置に関するパラメータであることを示す。それ以外のパラメータ１０８ａは、値が記憶されておらず、それらのパラメータ１０８ａは、他装置に関するパラメータであることを示す。
【００４３】
（サーバ装置がビーコンを送信する形態）
まず、サーバ装置となる移動通信端末装置１００がビーコンを送信する形態における無線ＬＡＮ通信部１２３の動作を説明する。
【００４４】
図４は、サーバ装置となる移動通信端末装置１００がビーコンを送信する形態における無線ＬＡＮ通信部１２３の動作のフローチャートを示し、図の左側がクライアント装置となる装置の無線ＬＡＮ通信部１２３の動作を、図の右側がサーバ装置となる装置の無線ＬＡＮ通信部１２３の動作をそれぞれ示す。
【００４５】
双方の無線ＬＡＮ通信部１２３は、双方の制御部１０１によって起動され（ステップＳ１２３ａ、ステップＴ１２３ａ）、クライアント装置の無線ＬＡＮ通信部１２３は、各処理部の有無の検出及び動作異常の有無の検出をする（ステップＳ１２３ｂ）。この検出によって、クライアント装置の無線ＬＡＮ通信部１２３は、サーバ装置へログインする際に必要となるパラメータを取得するために用いる手段として、いずれの手段がクライアント装置の無線ＬＡＮ通信部１２３によって使用可能かを認識する。
【００４６】
サーバ装置の無線ＬＡＮ通信部１２３は、自装置へログインするために必要なパラメータ１０８ａをクライアント装置に通知するための手段を一次選択する（ステップＴ１２３ｂ）。この選択のため、無線ＬＡＮ通信部１２３は、無線ＬＡＮ通信部１２３内に、パラメータ通知手段優先度を記憶する。なお、サーバ装置として動作する際の自装置のパラメータ１０８ａの出力と、後述するクライアント装置として動作する際のサーバ装置のパラメータ１０８ａの入力とを総称して、パラメータの通知と呼ぶ。
【００４７】
図５は、パラメータ通知手段優先度の一例を示す。このパラメータ通知手段優先度１２３ａは、パラメータ通知手段１２３ｂと、セキュリティ１２３ｃと、手間１２３ｄと、所要時間１２３ｅと、両者間の距離１２３ｆと、普及率１２３ｇとが関連付けられた情報からなる。
【００４８】
パラメータ通知手段１２３ｂは、「バーコード」、「手入力」、「記憶媒体」、「赤外線通信」、「ブルートゥース通信」及び「移動通信網通信」のいずれかの情報であって、パラメータを通知するための手段である。図５は、これらの手段の全てが記憶されている例を示す。
【００４９】
上記の情報は、それぞれ２次元バーコード作成部１２１によって作成され、表示された２次元バーコードを２次元バーコード解析部１２２が解析する手段、入力装置１０６の所定のキー操作によって入力する手段、記憶媒体接続部１３１に接続された記憶媒体を介する手段、赤外線通信部１２５の通信による手段、ブルートゥース通信部１２４の通信による手段、そして、移動通信網通信部１０２の通信による手段を示す。なお、これらの処理部を有していない装置にあっては、その装置を用いた手段については記憶されない。
【００５０】
セキュリティ１２３ｃは、パラメータ通知手段１２３ｂに記憶された手段によるパラメータ通知の際、そのパラメータを知るべきでない装置または者、即ち、クライアント装置及びクライアント装置の使用者以外の装置または者によって知られる情報漏洩の可能性が高いか低いかを示し、小さい数は、その可能性が低いことを示す。
【００５１】
図５に示す一例では、クライアント装置の使用者による操作を必要とする、「バーコード」、「手入力」及び「記憶媒体」であるパラメータ通知手段１２３ｂについては、セキュリティ１２３ｃが高いことが記憶されている。特に、パラメータ通知手段１２３ｂが「バーコード」であれば、記憶媒体の紛失による情報漏洩の可能性、及び、手入力の操作を視認されることによる情報漏洩の可能性がなく、最も情報漏洩の可能性が低いことが記憶されている。
【００５２】
また、パラメータの通知が通信によって行われ、クライアント装置の使用者の操作が不要である「赤外線通信」、「ブルートゥース通信」及び「移動通信網通信」であるパラメータ通知手段１２３ｂについては、セキュリティ１２３ｃが低いことが記憶されている。上記使用者の意識しない操作によって情報が漏洩する可能性が皆無ではないからである。また、これらの通信の際に厳しい認証が行われる場合、比較的情報漏洩の可能性が低く、認証が行われない場合、情報漏洩の可能性が高いことが記憶されている。
【００５３】
手間１２３ｄは、パラメータ通知手段１２３ｂに記憶された手段によるパラメータ通知の際、クライアント装置の使用者の操作に必要な操作の数や、種類の多少を示し、小さい数は、その操作の数や種類が少ないことを示す。パラメータの通知が通信によって行われる場合、手間１２３ｄは、小さい。ただし、「赤外線通信」であるパラメータ通知手段１２３ｂについては、赤外線の指向性が強いため、クライアント装置の赤外線の送受を行う面と、サーバ装置の赤外線の送受を行う面とを対向させる必要があるので、手間１２３ｄは、比較的大きい。
【００５４】
図５に示す一例では、パラメータの通知が通信によって行われ、クライアント装置の使用者の操作が不要である「赤外線通信」、「ブルートゥース通信」及び「移動通信網通信」であるパラメータ通知手段１２３ｂについては、手間１２３ｄは、少ないことが記憶されている。これらの通信の中で、「赤外線通信」は、使用者がクライアント装置とサーバ装置の相対位置を適切に配置する必要があるので、比較的上記必要な操作の数や種類が多いことを示す。
【００５５】
一方、パラメータの通知がクライアント装置の使用者による操作を必要とする、「バーコード」、「手入力」及び「記憶媒体」であるパラメータ通知手段１２３ｂについては、手間１２３ｄは、多いことが記憶されている。これらの手段の中で、「バーコード」については、表示された２次元バーコードの撮影のみの操作が必要であり、比較的上記必要な操作の数や種類が少ないことを示す。
【００５６】
なお、この手間１２３ｄは、クライアント装置の使用者の操作に必要な操作の数や種類の多少を示すとしたが、サーバ装置の使用者の操作に必要な操作の数や種類の多少を同時に示すとしても良い。また、この手間１２３ｄに加えて、または代えて、パラメータ通知手段優先度１２３ａには、サーバ装置の使用者の操作に必要な操作の数や種類の多少を示す情報が含まれているとしても良い。
【００５７】
所要時間１２３ｅは、パラメータ通知手段１２３ｂに記憶された手段によるパラメータ通知のために要する時間の長短を示し、小さい数は、その時間が短いことを示す。図５に一例を示すように、所要時間１２３ｅが小さい、即ち、所要時間が短いことは、ほぼ手間１２３ｄが小さい、即ち、使用者による操作の数や種類が少ないことに対応するが、パラメータ通知手段１２３ｂが「赤外線通信」であれば、その通信は認証を行わないので、所要時間１２３ｅは小さいことが記憶されている。
【００５８】
両者間の距離１２３ｆは、パラメータ通知手段１２３ｂに記憶された手段によるパラメータ通知を行う際、クライアント装置とサーバ装置との間に許される距離の長短を示し、小さい数は、その距離が長いことを示す。
【００５９】
図５に一例を示すように、パラメータの通知が通信によって行われ、クライアント装置の使用者の操作が不要である「赤外線通信」、「ブルートゥース通信」及び「移動通信網通信」であるパラメータ通知手段１２３ｂについては、概ね、両者間の距離１２３ｆは小さい、即ち、長距離が許される。ただし、「手入力」であるパラメータ通知手段１２３ｂについては、パラメータ１０８ａを、例えば通話部１０４ｃを介した通話によって伝えた上での手入力が可能であるため、両者間の距離１２３ｆは比較的小さい。
【００６０】
普及率１２３ｇは、パラメータ通知手段１２３ｂに記憶された手段によるパラメータ通知を行うための処理部が備えられた移動通信端末装置１００の普及が進んでいるか否かを示し、小さい数は普及が進んでいることを示す。
【００６１】
図５に示す一例では、「手入力」及び「移動通信網通信」であるパラメータ通知手段１２３ｂについては、普及率１２３ｇが小さい、即ち、普及が進んでいることを示す。およそ、移動通信端末装置１００は、移動通信網通信機能と、入力機能とを備えていることは必須だからである。一方、「赤外線通信」及び「ブルートゥース通信」であるパラメータ通知手段１２３ｂについては、必ずしも普及が進んでいないことを示す。
【００６２】
図４を参照した、無線ＬＡＮ通信部１２３の動作の説明に戻る。サーバ装置の無線ＬＡＮ通信部１２３は、ステップＴ１２３ｂでパラメータ通知手段優先度１２３ａに記憶されている、即ち、サーバ装置にて動作可能なパラメータ通知手段１２３ｂの中で、適切と思われる１つまたは複数個の手段を一次選択した後、選択されたパラメータ通知手段１２３ｂを識別する情報をビーコンに含めて送信して報知する（ステップＴ１２３ｃ）。なお、この情報は、ビーコンに含めると限るものではない。不特定の装置への報知が可能であれば良い。
【００６３】
上記一次選択は、以下の基準の１つまたは複数の組合せによる。まず、サーバ装置の各部に一時的に動作が不良、または不安定である処理部があれば、その処理部の動作を必要とするパラメータ通知手段１２３ｂを除く。次に、サーバ装置の使用者がサーバ装置の間近におらず、または、サーバ装置がクライアント装置の使用者が操作することができない位置に置かれている場合、「手入力」及び「記憶媒体」なるパラメータ通知手段１２３ｂを除く。
【００６４】
次に、サーバ装置の所在が視認不可能、または、サーバ装置の表示部１０５が視認不可能であるようにサーバ装置が設置されている場合、「記憶媒体」に加えて、「２次元コード」なるパラメータ通知手段１２３ｂを除く。次に、入力装置１０６の所定のキー操作によって指定された指示によって選択する。
【００６５】
なお、ステップＴ１２３ｃのパラメータ通知手段１２３ｂを識別する情報を報知する際、サーバ装置の無線ＬＡＮ通信部１２３は、それらのパラメータ通知手段１２３ｂに優先度を付して送信しても良い。この優先度は、パラメータ通知手段優先度１２３ａのセキュリティ１２３ｃと、手間１２３ｄと、所要時間１２３ｅと、両者間の距離１２３ｆと、普及率１２３ｇとの１つまたは複数によって決定する。
【００６６】
また、サーバ装置が想定しているクライアント装置との通信の属性によって決定する。例えば、秘密度が高い情報の通信が想定されている場合、セキュリティ１２３ｃが小さい手段の優先度を高く設定する。また、多くのクライアント装置との通信が望まれる場合、両者間の距離１２３ｆが小さい手段の優先度を高く設定する。
【００６７】
なお、サーバ装置の無線ＬＡＮ通信部１２３は、ステップＴ１２３ｂの一次選択処理によって、１つのパラメータ通知手段１２３ｂを選択するものとしても良い。また、サーバ装置の無線ＬＡＮ通信部１２３は、常に特定の１つのパラメータ通知手段１２３ｂを選択するとしても良い。これらの場合、後述するクライアント装置の無線ＬＡＮ通信部１２３によるパラメータ通知手段１２３ｂを選択する処理は不要である。
【００６８】
クライアント装置の無線ＬＡＮ通信部１２３は、ステップＴ１２３ｃで送信されたビーコンを受信して（ステップＳ１２３ｃ）、サーバ装置を検出し（ステップＳ１２３ｄ）、ビーコンに含まれた識別情報によって示されたパラメータ通知手段１２３ｂを解析して、如何なる手段が選択可能であるかを認識する（ステップＳ１２３ｅ）。
【００６９】
そして、クライアント装置の無線ＬＡＮ通信部１２３は、ステップＳ１２３ｄで検出されたサーバ装置を識別する情報を表示部１０５に表示させ（ステップＳ１２３ｆ）、入力装置１０６の所定のキー操作によってそのサーバ装置への接続要求を入力する（ステップＳ１２３ｇ）。なお、このステップＳ１２３ｇのサーバ装置への接続要求は、入力装置１０６のキー操作によるとは限らない。例えば、クライアント装置内の処理部であって、クライアント装置の無線ＬＡＮ通信部１２３を用いた通信を行うため、無線ＬＡＮ通信部１２３を起動させた処理部が要求するとしても良い。
【００７０】
なお、クライアント装置は、ステップＳ１２３ｅで認識されたいずれの手段も用いることができない場合、クライアント装置の無線ＬＡＮ通信部１２３は、ステップＳ１２３ｆのサーバ装置を識別する情報の表示動作以降の動作を行わないとしても良い。また、表示動作までを行い、ステップＳ１２３ｇの入力動作以降を行わないとしても良い。
【００７１】
クライアント装置の無線ＬＡＮ通信部１２３は、ステップＳ１２３ｇで接続要求が入力されると、ステップＳ１２３ｅで解析されたパラメータ通知手段１２３ｂの中から１つの手段を選択する（ステップＳ１２３ｈ）。この選択は、以下の基準の１つまたは複数の組合せによる。なお、この選択によって、手段が選択されない、即ち、いずれの通知手段も実行が不可能な場合、クライアント装置の無線ＬＡＮ通信部１２３は、サーバ装置との接続を行うことなく、動作を終了する。
【００７２】
まず、クライアント装置は、パラメータ通知手段１２３ｂによる通知によってパラメータを取得するために必要な処理部を備えていない場合、そのパラメータ通知手段１２３ｂを除く。次に、クライアント装置の各部に一時的に動作が不良、または動作が不安定である処理部があれば、その処理部の動作を必要とするパラメータ通知手段１２３ｂを除く。
【００７３】
次に、クライアント装置が想定しているサーバ装置との通信の属性によって決定する。例えば、秘密度が高い情報の通信が想定されている場合、セキュリティ１２３ｃが小さいパラメータ通知手段１２３ｂを選択する。また、ステップＳ１２３ｃで受信されたビーコンの電波の質、例えば、強度や、信号対雑音比によってサーバ装置との間の距離を推定し、推定された距離が遠いほど、両者間の距離１２３ｆが小さいパラメータ通知手段１２３ｂを選択する。次に、サーバ装置が高い優先度を付したパラメータ通知手段１２３ｂを選択する。次に、入力装置１０６の所定のキー操作によって選択する。
【００７４】
続いて、クライアント装置の無線ＬＡＮ通信部１２３は、選択されたパラメータ通知手段１２３ｂを識別する情報をサーバ装置に送信する（ステップＳ１２３ｉ）。サーバ装置の無線ＬＡＮ通信部１２３は、この情報を受信して（ステップＴ１２３ｄ）、上記選択されたパラメータ通知手段１２３ｂによってパラメータ１０８ａを通知する（ステップＴ１２３ｅ）。
【００７５】
即ち、サーバ装置の無線ＬＡＮ通信部１２３は、自装置のパラメータフラッグ１０８ｄが「自装置のパラメータ」であるパラメータ１０８ａをパラメータ記憶部１０８から検索することによって識別子１０８ｂと、暗証情報１０８ｃとを得る。
【００７６】
そして、上記選択されたパラメータ通知手段１２３ｂが「バーコード」である場合、サーバ装置の無線ＬＡＮ通信部１２３は、得られた識別子１０８ｂと、暗証情報１０８ｃとを２次元バーコード作成部１２１に送信して、２次元バーコードに変換させ、更に、表示部１０５に表示させる。
【００７７】
また、上記選択されたパラメータ通知手段１２３ｂが「手入力」である場合、サーバ装置の無線ＬＡＮ通信部１２３は、ステップＴ１２３ｅのパラメータを通知する動作を行わない。即ち、パラメータ１０８ａは、サーバ装置の使用者からクライアント装置の使用者に口頭で伝えられるものとする。
【００７８】
なお、この「手入力」である場合、このパラメータを通知する動作を行わないことに限るものではなく、サーバ装置の無線ＬＡＮ通信部１２３は、得られた識別子１０８ｂと、暗証情報１０８ｃとを表示部１０５に文字として表示させても良い。この表示されたパラメータは、サーバ装置の使用者によって視認されるとしても良く、また、クライアント装置の使用者によって視認されるとしても良い。
【００７９】
また、上記選択されたパラメータ通知手段１２３ｂが「記憶媒体」である場合、サーバ装置の無線ＬＡＮ通信部１２３は、得られた識別子１０８ｂと、暗証情報１０８ｃとを記憶媒体接続部１３１を介して接続された記憶媒体に書き込む。なお、この書き込みの前に、記憶媒体を記憶媒体接続部１３１を介して接続させる旨の指示を表示部１０５に表示させ、入力装置１０６の所定のキー操作によってその接続が完了した旨の入力が行われたことを待っても良い。
【００８０】
また、上記選択されたパラメータ通知手段１２３ｂが「赤外線通信」である場合、サーバ装置の無線ＬＡＮ通信部１２３は、得られた識別子１０８ｂと、暗証情報１０８ｃとを赤外線通信部１２５を制御して、送信させる。なお、この送信の前後には、例えばＩｒＤＡ規格に従った伝送路の接続が必要なことは言うまでもない。
【００８１】
また、上記選択されたパラメータ通知手段１２３ｂが「ブルートゥース通信」である場合、サーバ装置の無線ＬＡＮ通信部１２３は、得られた識別子１０８ｂと、暗証情報１０８ｃとをブルートゥース通信部１２４を制御して、送信させる。なお、この送信の前後には、ブルートゥース（Ｒ）規格に従った伝送路の接続が必要なことは言うまでもない。
【００８２】
また、上記選択されたパラメータ通知手段１２３ｂが「移動通信網通信」である場合、サーバ装置の無線ＬＡＮ通信部１２３は、得られた識別子１０８ｂと、暗証情報１０８ｃとを送受信部１０３を制御して、送信させる。なお、この送信の前後には、移動通信網を介した伝送路の接続が必要なことは言うまでもない。
【００８３】
クライアント装置の無線ＬＡＮ通信部１２３は、ステップＳ１２３ｈで選択されたパラメータ通知手段１２３ｂによって、サーバ装置と接続するためのパラメータを取得する（ステップＳ１２３ｊ）。
【００８４】
即ち、選択されたパラメータ通知手段１２３ｂが「バーコード」であれば、カメラ１０７に２次元バーコードを撮影させることによって、パラメータを取得する。なお、カメラ１０７によって撮影される２次元バーコードは、サーバ装置の表示部１０５に表示されたものである。なお、選択されたパラメータ通知手段１２３ｂが「バーコード」である場合の動作は、後で詳述する。
【００８５】
また、選択されたパラメータ通知手段１２３ｂが「手入力」である場合、クライアント装置の無線ＬＡＮ通信部１２３は、入力装置１０６の所定のキー操作によってパラメータを取得する。
【００８６】
また、選択されたパラメータ通知手段１２３ｂが「記憶媒体」である場合、クライアント装置の無線ＬＡＮ通信部１２３は、記憶媒体接続部１３１を介して接続された記憶媒体に記憶されたパラメータを読み出すことによってパラメータを得る。なお、この読み出しの前に、記憶媒体を記憶媒体接続部１３１を介して接続させる旨の指示を表示部１０５に表示させ、入力装置１０６の所定のキー操作によってその接続が完了した旨の入力が行われたことを待っても良い。
【００８７】
また、選択されたパラメータ通知手段１２３ｂが「赤外線通信」である場合、クライアント装置の無線ＬＡＮ通信部１２３は、赤外線通信部１２５を制御して、パラメータを受信させることによってパラメータを取得する。なお、この受信の前後には、例えばＩｒＤＡ規格に従った伝送路の接続が必要なことは言うまでもない。
【００８８】
また、選択されたパラメータ通知手段１２３ｂが「ブルートゥース通信」である場合、クライアント装置の無線ＬＡＮ通信部１２３は、ブルートゥース通信部１２４を制御して、パラメータを受信させることによってパラメータを取得する。なお、この受信の前後には、例えばブルートゥース（Ｒ）規格に従った伝送路の接続が必要なことは言うまでもない。
【００８９】
また、選択されたパラメータ通知手段１２３ｂが「移動通信網通信」である場合、クライアント装置の無線ＬＡＮ通信部１２３は、送受信部１０３を制御して、パラメータを受信させることによってパラメータを取得する。なお、この受信の前後には、移動通信網を介した伝送路の接続が必要なことは言うまでもない。
【００９０】
続いて、クライアント装置の無線ＬＡＮ通信部１２３は、サーバ装置の無線ＬＡＮ通信部１２３に接続し（ステップＳ１２３ｋ、ステップＴ１２３ｆ）し、取得されたパラメータを用いて、両者は認証処理を行う（ステップＳ１２３ｍ、ステップＴ１２３ｇ）。
【００９１】
続いて、両者は、接続完了の処理を行い（ステップＳ１２３ｎ、ステップＴ１２３ｈ）、サーバ装置の無線ＬＡＮ通信部１２３は、更に、ステップＴ１２３ｅで行ったパラメータの通知処理（例えば、表示部１０５への表示動作。）が引き続き行われていれば、その処理を終了し（ステップＴ１２３ｉ）、両者は、所定の通信を行う（図示せず）。
【００９２】
なお、サーバ装置の無線ＬＡＮ通信部１２３がステップＴ１２３ｅのパラメータを通知する動作を行わない場合、当然に、ステップＴ１２３ｉのパラメータの通知処理を終了する動作を行わない。
【００９３】
また、上記所定の通信は、例えば、ファイル転送アプリケーションによる通信であっても良く、チャットアプリケーションによる通信であっても良い。なお、これらのアプリケーションの開始にあたり、アプリケーション毎の認証が行われても良い。この認証は、パラメータ１０８ａを用いて無線ＬＡＮ通信部１２３が行う認証とは無関係である。
【００９４】
（２次元バーコードを用いてパラメータを通知する際の動作の詳細）
次に、上記ステップＳ１２３ｈで選択されたパラメータ通知手段１２３ｂが「バーコード」である場合の処理を詳述する。図６は、ステップＳ１２３ｈで選択されたパラメータ通知手段１２３ｂが「バーコード」である場合の無線ＬＡＮ通信部１２３の動作のフローチャートを示す。なお、図４を参照して説明した内容と同じ部分については、図示を省略し、または、同じ符号を付して説明を省略する。
【００９５】
クライアント装置の無線ＬＡＮ通信部１２３は、ステップＳ１２３ｇでサーバ装置への接続要求を入力した後、「バーコード」であるパラメータ通知手段１２３ｂを選択し（ステップＳ１２３ｈ−２）、２次元バーコードによってパラメータを通知する旨をサーバ装置の無線ＬＡＮ通信部１２３に要求する（ステップＳ１２３ｉ−２）。
【００９６】
サーバ装置の無線ＬＡＮ通信部１２３は、この要求を受信して（ステップＴ１２３ｄ−２）、２次元バーコード作成部１２１を制御して、自装置のパラメータ１０８ａを２次元バーコードに変換させ、更に、表示部１０５に表示させる（ステップＴ１２３ｅ−２）。
【００９７】
クライアント装置の無線ＬＡＮ通信部１２３は、ステップＳ１２３ｉ−２で要求した後、カメラ１０７を起動し（ステップＳ１２３ｊ−２）、入力装置１０６の所定のキー操作によってカメラ１０７に上記２次元バーコードを撮影させ（ステップＳ１２３ｉ−３）、２次元バーコード解析部１２２を制御して、カメラ１０７から出力させた２次元バーコードをパラメータに変換させる（ステップＳ１２３ｊ−４）。
【００９８】
その後、クライアント装置の無線ＬＡＮ通信部１２３とサーバ装置の無線ＬＡＮ通信部１２３とは、既に説明したステップＳ１２３ｋ及びステップＴ１２３ｆの動作以降を行う。なお、サーバ装置の無線ＬＡＮ通信部１２３のステップＴ１２３ｉのパラメータの通知を終了する動作を具体的に説明すると、２次元バーコード作成部１２１の動作を終了させ、併せて２次元バーコード作成部１２１による表示部１０５の表示を消去させる（ステップＴ１２３ｉ−２）。
【００９９】
（一次選択されたパラメータ通知手段１２３ｂが「手入力」を含まない実施形態）
次に、サーバ装置の無線ＬＡＮ通信部１２３は、ステップＴ１２３ｂのパラメータ通知手段１２３ｂの一次選択の際に、「手入力」を選択せず、従って、ステップＴ１２３ｃで「手入力」なるパラメータ通知手段１２３ｂを識別する情報がビーコンに含まれて送信されることがない場合の動作を説明する。
【０１００】
この場合の動作を特に説明する理由は、以下の通りである。即ち、「手入力」なるパラメータ通知手段１２３ｂは、既に説明した通り、手間１２３ｄの観点から劣り、かつ、所要時間１２３ｅの観点からも劣る。また、使用者による入力装置１０６のキー操作に誤りが混入し、認証に失敗することによって、使用者に不快の念を抱かせる可能性が皆無ではない。
【０１０１】
そこで、「手入力」なるパラメータ通知手段１２３ｂは、用いないことを原則とし、他の手段を用いることができない場合にのみ、用いることにより、適切な方法でパラメータを通知しようとするものである。
【０１０２】
図７は、ステップＴ１２３ｂのパラメータ通知手段１２３ｂの一次選択の際に、「手入力」を選択しない場合の無線ＬＡＮ通信部１２３の動作のフローチャートを示す。なお、図４を参照して説明した内容と同じ部分については、図示を省略し、または、同じ符号を付して説明を省略する。そのため、サーバ装置の無線ＬＡＮ通信部１２３の動作については図示及び説明を省略する。
【０１０３】
クライアント装置の無線ＬＡＮ通信部１２３は、ステップＳ１２３ｇでサーバ装置への接続要求を入力した後、ステップＳ１２３ｅで解析されたパラメータ通知手段１２３ｂの中の少なくとも１つがクライアント装置で実行可能か否かを調べる（ステップＳ１２３ｈ−６）。実行可能か否かを調べるには、既にステップＳ１２３ｈの動作で説明した処理を準用する。可能である場合、既に説明したステップＳ１２３ｈの通知手段の選択の動作以降を行う。
【０１０４】
一方、不可能である場合、クライアント装置の無線ＬＡＮ通信部１２３は、表示部１０５にパラメータの手入力を促す表示をさせ（ステップＳ１２３ｈ−７）、入力装置１０６の所定のキー操作によってパラメータを入力し（ステップＳ１２３ｈ−８）、その入力によって取得されたパラメータを用いてステップＳ１２３ｋのサーバ装置との無線ＬＡＮ接続の動作以降を行う。
【０１０５】
なお、この不可能である場合、サーバ装置の無線ＬＡＮ通信部１２３は、ステップＴ１２３ｅのパラメータを通知する動作をしないので、ステップＴ１２３ｉのパラメータ通知を終了する動作をしない。
【０１０６】
上記説明では、クライアント装置の使用者は、既にサーバ装置のパラメータ１０８ａを知っている、または、サーバ装置の使用者に口頭で、移動通信網通信部１０２を介した通話で、もしくは、それ以外の手段を用いて尋ねることによってサーバ装置のパラメータ１０８ａを知るとしたが、これに限るものではない。
【０１０７】
例えば、クライアント装置の無線ＬＡＮ通信部１２３は、ステップＳ１２３ｈ−６で不可能である場合、ステップＳ１２３ｈで、「手入力」なるパラメータ通知手段１２３ｂが選択されたとして、ステップＳ１２３ｉのパラメータの通知を要求する動作以降を行うとしても良い。この場合、サーバ装置の無線ＬＡＮ通信部１２３は、ステップＴ１２３ｅのパラメータを通知する動作及びステップＴ１２３ｉのパラメータ通知を終了する動作を行う。
【０１０８】
（クライアント装置がビーコンを送信する形態）
次に、クライアント装置となる移動通信端末装置１００がビーコンを送信する形態における無線ＬＡＮ通信部１２３の動作を説明する。
【０１０９】
図８は、クライアント装置となる移動通信端末装置１００がビーコンを送信する形態における無線ＬＡＮ通信部１２３の動作のフローチャートを示し、図の左側がクライアント装置となる装置の無線ＬＡＮ通信部１２３の動作を、図の右側がサーバ装置となる装置の無線ＬＡＮ通信部１２３の動作をそれぞれ示す。
【０１１０】
なお、図４を参照して説明した、サーバ装置となる移動通信端末装置１００がビーコンを送信する形態における無線ＬＡＮ通信部１２３の動作と同じ部分については、同じ符号を付して説明を省略する。
【０１１１】
クライアント装置の無線ＬＡＮ通信部１２３は、ステップＳ１２３ｂで各処理部の有無の検出及び動作異常の有無の検出の後、サーバ装置へログインするために必要なパラメータを取得するため、パラメータ通知手段１２３ｂを一次選択し（ステップＳ１２３ｒ）、選択されたパラメータ通知手段１２３ｂを識別する情報をビーコンに含めて送信して報知する（ステップＳ１２３ｓ）。
【０１１２】
ここで、ステップＳ１２３ｒの一次選択の処理は、図４を参照して説明したサーバ装置の無線ＬＡＮ通信部１２３の動作の中のステップＴ１２３ｂの一次選択の処理に準じる。また、ステップＳ１２３ｓのビーコン送信の処理は、サーバ装置の無線ＬＡＮ通信部１２３の動作の中のステップＴ１２３ｃのビーコン送信の処理と同じ処理である。
【０１１３】
サーバ装置の無線ＬＡＮ通信部１２３は、ステップＴ１２３ａで起動された後、上記ビーコンを受信し（ステップＴ１２３ｒ）、そのビーコンに含まれた識別情報によって示されたパラメータ通知手段１２３ｂの中の少なくとも１つがサーバ装置で実行可能である場合、その実行可能なパラメータ通知手段１２３ｂの１つを選択する（ステップＴ１２３ｓ）。そして、クライアント装置への接続可能を示す応答の一部として、選択されたパラメータ通知手段１２３ｂを送信し（ステップＴ１２３ｔ）、ステップＴ１２３ｅの選択された手段でパラメータを通知する動作以降を行う。
【０１１４】
ここで、ステップＴ１２３ｓの通知手段の選択の処理は、クライアント装置の無線ＬＡＮ通信部１２３の動作の中のステップＳ１２３ｈの通知手段の選択の処理に準じる。また、ステップＴ１２３ｅの選択された手段でパラメータを通知する動作では、ステップＴ１２３ｓで選択された手段を通知する。
【０１１５】
クライアント装置の無線ＬＡＮ通信部１２３は、上記応答を受信して（ステップＳ１２３ｔ）、既に説明した、ステップＳ１２３ｄのサーバ装置の検出以降の処理を行う。ただし、ステップＳ１２３ｅの通知手段の解析処理、ステップＳ１２３ｈの通知手段の選択処理、及びステップＳ１２３ｉの選択された通知手段を送信する処理は不要である。なぜなら、ステップＳ１２３ｔで通知手段は既に認識されているからである。なお、ステップＳ１２３ｊのパラメータ取得の動作は、ステップＳ１２３ｔで受信された通知手段によって行う。
【０１１６】
例えば、ステップＴ１２３ｓで、「バーコード」なるパラメータ通知手段１２３ｂが選択された場合、ステップＳ１２３ｊのパラメータを取得する動作は、図６を参照して説明したステップＳ１２３ｊ−２のカメラ１０７を起動する動作からステップＳ１２３ｊ−４の２次元バーコード解析部１２２を制御してパラメータを得させる動作までとなる。
【０１１７】
また、ステップＴ１２３ｅのパラメータを通知する動作は、図６を参照して説明したステップＴ１２３ｅ−２の２次元バーコード作成部１２１を制御して２次元バーコードを表示部１０５に表示させる動作となる。
【０１１８】
なお、クライアント装置の無線ＬＡＮ通信部１２３は、ステップＳ１２３ｒのパラメータ通知手段１２３ｂの一次選択の際に、「手入力」を選択せず、従って、ステップＳ１２３ｓで「手入力」なるパラメータ通知手段１２３ｂを識別する情報がビーコンに含まれて送信されることがない場合の動作は、図４及び図７を参照して説明したサーバ装置となる移動通信端末装置１００がステップＴ１２３ｂのパラメータ通知手段１２３ｂの一次選択の際に、「手入力」を選択しない場合の動作と同じである。
【０１１９】
即ち、クライアント装置の無線ＬＡＮ通信部１２３は、ステップＳ１２３ｇの接続要求を入力する動作の後、図７を参照して説明したステップＳ１２３ｈ−６の通知手段が実行可能か否かを調べる動作と、実行可能でない場合、ステップＳ１２３ｈ−７と、ステップＳ１２３ｈ−８の手入力によってパラメータを取得する動作を行えば良い。
【０１２０】
また、以上の説明では、サーバ装置の無線ＬＡＮ通信部１２３は、ステップＴ１２３ｓの通知手段の選択動作の際、複数の手段を選択することはないとしたが、これに限るものではない。
【０１２１】
複数の通知手段が選択された場合、サーバ装置の無線ＬＡＮ通信部１２３は、ステップＴ１２３ｔでそれらの通知手段を応答として送信し、クライアント装置の無線ＬＡＮ通信部１２３は、図４を参照して説明したステップＳ１２３ｈの通知手段の選択の動作と、ステップＳ１２３ｉの選択された手段による通知の要求を行う。そして、サーバ装置の無線ＬＡＮ通信部１２３は、ステップＴ１２３ｄの上記要求の受信動作を行えば良い。
【０１２２】
特に、サーバ装置の付近にサーバ装置の使用者が不在である場合、クライアント装置が通知手段の最終的な選択を行う処理が有効であることがある。例えば、サーバ装置が掲示板として、一方向の情報報知に使われて、多種多様のクライアント装置によってその情報が受信される場合である。この場合、サーバ装置が多種多様なクライアント装置のいずれにも最適な通知手段の選択を行うことには困難が伴うことがあるからである。
【０１２３】
以上の説明は、無線ＬＡＮ通信部１２３による無線ＬＡＮ接続の際に必要となるパラメータを適切に通知する処理を例にとって行ったが、この処理は、それ以外の接続の際に必要となるパラメータを適切に通知する際にも当然に適用可能である。例えば、ブルートゥース通信部１２４によるブルートゥース（Ｒ）接続の際に必要となるパラメータ通知処理にも適用可能である。
【０１２４】
いずれの場合であっても、本発明を適用することにより、装置の使用者の操作を最小限にし、適切な手段によってパラメータの通知が可能となる。例えば、２次元バーコードを介してパラメータを通知する場合、必要な操作は、クライアント装置の使用者が２次元バーコードを撮影するのみである。２次元バーコードの表示、その表示の消去、及び撮影のためにカメラ１０７を起動するための操作は不要である。また、装置の使用者に高い習熟度が求められることはない。本発明は以上の構成に限定されるものではなく、種々の変形が可能である。
【図面の簡単な説明】
【０１２５】
【図１】本発明の実施形態に係る移動通信端末装置が含まれた通信システムの構成を示すブロック図。
【図２】本発明の実施形態に係る移動通信端末装置の構成を示すブロック図。
【図３】本発明の実施形態に係る移動通信端末装置に無線ＬＡＮを介して接続するためのパラメータの一例を示す図。
【図４】本発明の実施形態に係る移動通信端末装置の無線ＬＡＮ通信部の動作を示すフローチャート（その１、サーバ装置の無線ＬＡＮ通信部がビーコンを送信する場合。）。
【図５】本発明の実施形態に係る移動通信端末装置の無線ＬＡＮ通信部内に記憶されるパラメータ通知手段優先度の一例を示す図。
【図６】本発明の実施形態に係る移動通信端末装置の無線ＬＡＮ通信部の動作を示すフローチャート（その２、２次元バーコードを用いてパラメータを通知する例。）。
【図７】本発明の実施形態に係る移動通信端末装置の無線ＬＡＮ通信部の動作を示すフローチャート（その３、送受された通知手段によることができない場合、手入力によりパラメータを通知する例。）。
【図８】本発明の実施形態に係る移動通信端末装置の無線ＬＡＮ通信部の動作を示すフローチャート（その４、クライアント装置の無線ＬＡＮ通信部がビーコンを送信する場合。）。
【符号の説明】
【０１２６】
１００  移動通信端末装置
１０１  制御部
１０２  移動通信網通信部
１０３  送受信部
１０５  表示部
１０６  入力装置
１０７  カメラ
１０８  パラメータ記憶部
１０８ａ  パラメータ
１０８ｂ  識別子
１０８ｃ  暗証情報
１０８ｄ  自装置のパラメータフラッグ
１２１  ２次元バーコード作成部
１２２  ２次元バーコード解析部
１２３  無線ＬＡＮ通信部
１２３ａ  パラメータ通知手段優先度
１２３ｂ  パラメータ通知手段
１２３ｃ  セキュリティ
１２３ｄ  手間
１２３ｅ  所要時間
１２３ｆ  両者間の距離
１２３ｇ  普及率
１２４  ブルートゥース通信部
１２５  赤外線通信部
１３１  記憶媒体接続部
【図１】
2008172407.tif 000003
【図２】
2008172407.tif 000004
【図３】
2008172407.tif 000005
【図４】
2008172407.tif 000006
【図５】
2008172407.tif 000007
【図６】
2008172407.tif 000008
【図７】
2008172407.tif 000009
【図８】
2008172407.tif 000010